(57)【要約】【課題】  既設住宅の窓枠に住人の在・不在を問わず建物の外から面格子を取付け可能にする。【解決手段】  面格子２１斜めに保持しながら嵌め込み溝２４を窓枠サッシ１０のリブ１１ｕに被嵌し、その面格子２１を起こして窓枠サッシ１０のリブ１０ｔに適合させ、面格子２１の上部横桟２２ｔの角溝縁２５内に面格子中間取付け中間部材３０とリブ掴持部材４０を切込み２６を経て装填し、面格子中間取付け中間部材３０を角溝縁２５内に固定し、リブ固定部材４０をビス５１とともに持ち上げ締め付けて面格子２１を窓枠サッシ１０のリブ１１ｔに固定する。【選択図】図１
2012132291.tif 000002
【特許請求の範囲】
【請求項１】
（Ａ）面格子（２１）の上下の横桟（２２ｔ、２２ｕ）から連続してサッシ（窓枠）（１０）に向けて延びるブラケット板（２３ｔ、２３ｕ）を延設し、そのブラケット板（２３ｕ）の端縁にサッシ（１０）のリブ（１１）に被嵌する嵌め込み溝（２４）を形成し、上側のブラケット板（２３ｔ）の端縁に角状溝縁（２５）が前記嵌め込み溝（２４）側に開口するように直角に折り曲げた状態で形成し、この角状溝縁（２５）の外面の少なくとも二箇所に切込み（２６）を設け、この切込み（２６）の対向面の中央から左右対称位置に縦方向二本の長孔（２７）と、その長孔（２７）の中央及び両外側にバカ孔（２８ｃ、２８ｓ）を設け、前記切込み（２６）の両側で前記長孔（２７）の両外側のバカ孔（２８ｓ）に対応する位置に雌ネジ（２９）を設けた取付け横桟（２０）と、（Ｂ）基板（３１）の前記長孔（２７）に向かう縁に、前記切込み（２６）を通り抜ける幅で、前記長孔（２７）とバカ孔（２８ｃ）に対応する長孔（３７）と前記バカ孔（２８ｃ）に対応する雌ネジ（３８）を設けた直角立ち上げ片（３３）を設け、前記雌ネジ（２９）に向う縁の両端に直角立ち上げた取り付け片（３２）を形成して雌ネジ（３９）を設けた面格子取付け中間部材（３０）と、（Ｃ）基板（４１）の前記長孔（３７）に向う縁に直角立ち上げ片（４２）を設け、この直角立ち上げ片（４２）の中央から対称に且つ上記長孔（２７、３７）に対応する位置に雌ネジ（４７）を設け、他方の縁の中央に上記切込み（２６）の幅より僅かに狭い幅の直角立ち上げ片（４３）を設けたサッシのリブ掴持部材（４０）とからなるものであり、
面格子取付け中間部材（３０）の上下スライド片（３３）と取り付け片（３２）のとの間にリム掴持部材（４０）を嵌め込み、長孔（３７）を通して雌ネジ（４７）にビス（５１）をねじ込み、その状態の面格子取付け中間部材（３０）を切込み（２６）の部分を通して角溝縁（２５）に挿入し、取付け片（３２）の雌ネジ（３９）にバカ孔（２９）を通してビス（５２）をねじ込んで面格子取付け中間部材（３０）を角溝縁（２５）に固定し、リブ固定部材（４０）は長孔（３７）の範囲内で上下に移動可能状態にしておく、このようにした状態で面格子をやや斜めにし、下側のブラケット板（２３ｕ）の嵌め込み溝（２４）をサッシ（１０）のリブ（１１）に被嵌し、リブ掴持部材（４０）を下に落ち込んだ状態で面格子を起こし、面格子取付け中間部材（３０）とともにリブ掴持部材（４０）をサッシ（１０）のリブ（１１）側に持ち上げビス（５１）を締め付けて固定し、最後にバカ孔（２８ｃ）を通して首部分にネジのないビス（５３）を雌ネジ（３８）にねじ込んでなる外部から取付け可能面格子。
【請求項２】
上記バカ孔（２８ｃ）及び雌ネジ（３８）に代えて、長孔（２７）及び（３７）の両外側にバカ孔及び雌ネジを設け、首部分にネジのない二本のビス（５３）を上記バカ孔を通して上記雌ネジに込んでなる外部から取付け可能面格子。
【発明の詳細な説明】
【技術分野】
【０００１】  本発明は、住人不在でも建物の外から取付け可能な面格子に関する。
【背景技術】
【０００２】  集合住宅や高層住宅において、建築当初、窓に面格子が取付けられていなかったものが、保安上の理由から定期保全時に面格子を取付けるようにとの要望が出されるケースが多くなっている。【０００３】  この場合、従来の技術であると住人の在宅時でないと工事を行うことができない。実際住人の在宅状況を見ると、出張、旅行、その他諸々の理由により全部がそろって在宅していることはあり得ず、このために計画通り工事が進捗せず、工事業者を何回も差し向けなければならず極めて効率の悪い結果となる。【０００４】  こうした状況のもとで住宅管理会社や住宅建設会社などから出されてきたのが、住人の在・不在に係わらず建物の外から取り付けることが可能で、かつ、取り付けられた後は外部から容易に外すことができない面格子を提供するようにとの要望だされている。【０００５】  ところで、こうした要望に応える面格子について特許庁電子図書館のデーターをもとに調査したところ、この要望に応える情報は見当たらず、新規にその要望に応える面格子を開発する必要に迫られた。
【発明の開示】
【発明が解決しようとする課題】
【０００６】  上記状況に基づきこの発明は、既設の住宅の窓枠に住人の在・不在を問わず建物の外から取付け可能にし、一旦取付けた後は容易に外すことができない面格子を提供することを課題とする。
【課題を解決するための手段】
【０００７】  上記課題を解決するためにこの発明は、（Ａ）面格子２１の上下の横桟２２ｔ、２２ｕから連続してサッシ（窓枠）１０に向けて延びるブラケット板２３ｔ、２３ｕを延設し、そのブラケット板２３ｕの端縁にサッシ１０のリブ１１に被嵌する嵌め込み溝２４を形成し、上側のブラケット板２３ｔの端縁に角状溝縁２５が前記嵌め込み溝２４側に開口するように直角に折り曲げた状態で形成し、この角状溝縁２５の外面の少なくとも二箇所に切込み２６を設け、この切込み２６の対向面の中央から左右対称位置に縦方向二本の長孔２７と、その長孔２７の中央及び両外側にバカ孔２８ｃ、２８ｓを設け、前記切込み２６の両側で前記長孔２７の両外側のバカ孔２８ｓに対応する位置に雌ネジ２９を設けた取付け横桟２０と、（Ｂ）基板３１の前記長孔２７に向かう縁に、前記切込み２６を通り抜ける幅で、前記長孔２７とバカ孔２８ｃに対応する長孔３７と前記バカ孔２８ｃに対応する雌ネジ３８を設けた直角立ち上げ片３３を設け、前記雌ネジ２９に向う縁の両端に直角に立ち上げた取り付け片３２を形成して雌ネジ３９を設けた面格子取付け中間部材３０と、（Ｃ）基板４１の前記長孔３７に向う縁に直角立ち上げ片４２を設け、この直角立ち上げ片４２の中央から対称に且つ上記長孔２７、３７に対応する位置に雌ネジ４７を設け、他方の縁の中央に上記切込み２６の幅より僅かに狭い幅の直角立ち上げ片４３を設けたサッシのリブ掴持部材４０とからなるものであり、【０００８】  面格子取付け中間部材３０の上下スライド片３３と取り付け片３２のとの間にリム掴持部材４０を嵌め込み、長孔３７を通して雌ネジ４７にビス５１をねじ込み、その状態の面格子取付け中間部材３０を切込み２６の部分を通して角溝縁２５に挿入し、取付け片３２の雌ネジ３９にバカ孔２９を通してビス５２をねじ込んで面格子取付け中間部材３０を角溝縁２５に固定し、リブ固定部材４０は長孔３７の範囲内で上下に移動可能状態にしておく、このようにした状態で面格子をやや斜めにし、下側のブラケット板２３ｕの嵌め込み溝２４をサッシ１０のリブ１１に被嵌し（図１参照）、リブ掴持部材４０を下に落ち込んだ状態で面格子を起こし、面格子取付け中間部材３０とともにリブ掴持部材４０をサッシ１０のリブ１１側に持ち上げビス５１を締め付けて固定し、最後にバカ孔２８ｃを通して首部分にネジのないビス５３を雌ネジ３８ねじ込んでなるものである。
【発明の効果】
【０００９】  上記の如く構成するこの発明によれば居住者の在宅・不在宅に関係なく面格子を建物の外から取り付けることが可能になり、作業工程どおり施工することができるようになった。
【発明を実施するための最良の形態】
【実施例１】
【００１０】  次にこの発明の実施例を、図面を参照しながら説明する。面格子２１の上下の横桟２２ｔ、２２ｕから連続してサッシ（窓枠）１０に向けてブラケット板２３ｔ、２３ｕを延設し、そのブラケット板２３ｕの端縁にサッシ１０のリブ１１に被嵌する嵌め込み溝２４を形成し、上側のブラケット板２３ｔの端縁に角状溝縁２５が前記嵌め込み溝２４側に開口するように直角に折り曲げた状態で形成している（図１参照）。【００１１】  この角状溝縁２５の外面二箇所に図５に示すように切込み２６を設け、この切込み２６の対向面の中央から左右対称位置に縦方向二本の長孔２７と、その中央及び両外側にバカ孔２８ｃ、２８ｓを設け、前記切込み２６の両側で前記長孔２７の両外側のバカ孔２８ｓに対応する位置に雌ネジ２９を設けている。【００１２】  また、基板３１の前記長孔２７向かう縁に、前記切込み２６を通り抜ける幅で、前記長孔２７とバカ孔２８ｃに対応する位置に長孔３７と前記バカ孔２８ｃに対応する位置に雌ネジ３８を設けた直角立ち上げ片３３（スライド片）を設け、前記雌ネジ２９に向う縁の両端に直角立ち上げた取り付け片３２を形成し、その取り付け片３２に雌ネジ３９を設けて面格子取付け中間部材３０としている。【００１３】  さらに、基板４１の前記長孔３７に向う縁に直角立ち上げ片４２を設け、この直角立ち上げ片４２の中央から対称に且つ上記長孔２７、３７に対応する位置に雌ネジ４７を設け、他方の縁の中央に上記切込み２６の幅より僅かに狭い幅の直角立ち上げ片４３を設けてサッシのリブ掴持部材４０としている。【００１４】  上記の如く構成する面格子は建物の外部から取付けることができる。即ち、中間部材３０の直角立ち上げ片３３（スライド片）と取り付け片３２のとの間にリム掴持部材４０を嵌め込み、長孔３７を通して雌ネジ４７にビス５１を緩くねじ込み、その状態の面格子取付け中間部材３０を切込み２６の部分を通して角溝縁２５に挿入し、取付け片３２の雌ネジ３９にバカ孔２９を通してビス５２をねじ込んで面格子取付け中間部材３０を角溝縁２５に固定する。【００１５】  リブ固定部材４０は長孔３７の範囲内で上下に移動可能状態になっており、この状態で面格子をやや斜めにして下側のブラケット板２３ｕの嵌め込み溝２４をサッシ１０のリブ１１ｕに嵌める。この状態ではリブ掴持部材４０が下に落ち込んだ状態になっており、面格子を起こして面格子取付け中間部材３０の長孔３７を通り抜けてねじ込んだビス５１と共にリブ掴持部材４０をサッシ１０の上側リブ１１ｔ側に持ち上げビス５１を締め付ける。【００１６】  このときサッシ１０のリブ１１ｔは、リブ掴持片４３と角溝縁２５との間に挟まれて掴持され、最後にバカ孔２８ｃを通して首部分にネジのないビス５３を雌ネジ３８にねじ込む、このように首部にネジのないビス５３をねじ込むことによりビス５１を緩めてもリブ掴持部材４０は下に落ちず外部から面格子を外すことはできない。また、ビス５３を戻そうとしてもビスにドライバーを押し当てる力の方向が逆になるので不可能で、さらにビスの頭部を掴む機能を持ったドライバーは角溝縁２５の長孔２８ｃがあるので、それが邪魔をしてドライバーの刃先がビスの頭に到達しない。なお、角溝縁２５���設けた長孔２７には目隠しキャップを被せることができる。【００１７】  上記説明では、サッシ１０の上側のリブ１１ｔにリブ固定部材４０を固定させたが、これを天地返しにして下側のリブ１１ｕに固定させることができるのは云うまでもない。なお、全ての工事が完了した後、バカ孔・長孔などが露出している部分には目隠しのキャップ５４を被せる。
【産業上の利用可能性】
【００１８】  以上説明した如くこの発明によれば入居後の集合住宅・高層住宅において、住人の在宅・不在宅に関係なく面格子の取り付け工事が可能になり、工程表通りに工事に進行が可能となり足場の設置期間短縮や屋内への施工機材の搬入が不要となり、とりわけ人件費大幅な節約となり産業上利用価値の極めて高いものである。
【図面の簡単な説明】
【図１】  サッシ（窓枠）への本発明に係る面格子取付け概略説明図
【図２】  サッシのリブに面格子とともにリブ掴持部材を当てはめた状態を示す縦断面図
【図３】  リブ掴持部材をビスとともに持ち上げビスを締め付けた状態の縦断面図
【図４】  リブ掴持部材の降下防止ビスをねじ込んだ状態の縦断面図
【図５】  本発明の要部組み立て説明図
【符号の説明】１０：サッシ
１１：リブ
２０：取付け横桟
２１：面格子
２２ｔ：横桟（上部）
２２ｕ：横桟（下部）
２３：ブラケット板
２４：嵌め込み溝
２５：角溝縁
２６：切込み
２７：長孔
２８ｃ：バカ孔（中心）
２８ｓ：バカ孔（両側）
２９：雌ネジ
３０：面格子取付け中間部財
３１：基板
３２：取り付け片
３３：上下スライド片
３７：長孔
３８：雌ネジ
４０：リブ掴持部材
４１：基板
４２：掴持引き付け片
４３：リブ掴持片
４７：雌ネジ
５１，５２，５３  ビス
５４  目隠しキャップ
【図１】
2012132291.tif 000003
【図２】
2012132291.tif 000004
【図３】
2012132291.tif 000005
【図４】
2012132291.tif 000006
【図５】
2012132291.tif 000007